(57)【要約】【課題】デジタル放送を受信する携帯端末において、放送波によって受信したコンテンツデータの欠損データの補完処理を効率よく行う。【解決手段】所定のセグメント数を使用して送信されるデジタル放送用のコンテンツデータを受信するための放送路受信部（１０４）と前記放送路受信部と異なる処理で前記コンテンツデータを受信するための通信路受信部（１０６）を有する携帯端末（１０）は、放送路受信部から受信したコンテンツデータの欠損を判別し、データが欠損している場合には欠損データを補完する。このとき携帯端末は、受信したコンテンツデータに係る使用セグメント数を判別し、判別結果に基づいて通信路受信部から欠損データを受信する第１動作モード、又は通信路受信部から欠損データを受信するとともに放送路受信部からコンテンツデータを再受信する第２動作モードの何れかにより処理を実行する。【選択図】図１
2011259067.tif 000002
【特許請求の範囲】
【請求項１】
所定のセグメント数を使用して送信されるデジタル放送用のコンテンツデータを受信するための処理を行う放送路受信部と
前記コンテンツデータを前記放送路受信部と異なる処理で受信するための処理を行う通信路受信部と、
操作部と、
前記操作部からの入力に応答して、前記コンテンツデータの送信元から前記コンテンツデータを受信するとともに、前記放送路受信部により受信した前記コンテンツデータにおけるデータの欠損を判別し、データが欠損している場合には当該欠損データを補完するための第１動作モード又は第２動作モードによる処理を行う第１処理部と、
前記放送路受信部から受信した前記コンテンツデータに係る使用セグメント数を判別し、判別結果に基づいて、前記第１処理部に対し前記第１動作モード又は前記第２動作モードの何れかを指示する、第２処理部と、を有する携帯端末であって、
前記第１動作モードは、前記通信路受信部から前記欠損データを受信して補完する処理であり、
前記第２動作モードは、前記通信路受信部から前記欠損データを受信するとともに前記放送路受信部から前記コンテンツデータを再受信して補完する処理である、携帯端末。
【請求項２】
前記第２処理部は、前記使用セグメント数が１セグメントより大きい場合には、前記第２動作モードを指示する、請求項１記載の携帯端末。
【請求項３】
前記第２処理部は、前記使用セグメント数が３セグメントより大きい場合には、前記第２動作モードを指示する、請求項１記載の携帯端末。
【請求項４】
前記第１処理部は、前記第２動作モードを実行する際、前記放送路受信部から前記コンテンツデータを構成するストリームデータを受信する順番と逆の順番で前記通信路受信部から前記欠損データに係るストリームデータを受信する、請求項１記載の携帯端末。
【請求項５】
前記受信したコンテンツデータは、蓄積して視聴可能な蓄積型のストリームデータを含み、
前記第２処理部は、前記蓄積型のストリームデータに含まれる複数のパケットデータのうち、当該蓄積型のストリームデータの構成を示す情報を含む所定のパケットデータを抽出し、当該抽出したパケットデータを参照することにより前記使用セグメント数を判別する、請求項１記載の携帯端末。
【請求項６】
前記受信したコンテンツデータは更に、リアルタイム視聴用のストリームデータを含み、
前記第２処理部は、前記リアルタイム視聴用のストリームデータに含まれる複数のパケットデータのうち、当該リアルタイム視聴用のストリームデータの構成を示す情報を含む所定のパケットデータを抽出し、当該抽出したパケットデータを参照することにより前記使用セグメント数を判別する、請求項１記載の携帯端末。
【請求項７】
所定のセグメント数を使用して送信されるデジタル放送用のコンテンツデータを受信する携帯端末において、放送データの中から選択して受信したコンテンツデータにおける欠損したデータを補完する受信データ補完方法であって、
前記放送データの中から選択して受信したコンテンツデータにおけるデータの欠損の有無を判別する第１処理と、
前記第１処理においてデータが欠損していると判断した場合には、当該欠損したデータを補完する第２処理と、を含み、
前記第２処理は、前記放送データの中から選択して受信したコンテンツデータに係る使用セグメント数を判別する第３処理と、
前記使用セグメント数が所定の閾値以下の場合には、データサーバに対するアクセス要求に応じた前記欠損したデータを受信して補完し、前記使用セグメント数が所定の閾値よりも大きい場合には、データサーバに対するアクセス要求に応じた前記欠損したデータを受信するとともに、前記放送データの中から再度選択して前記コンテンツデータを受信する第４処理とを含む、受信データ補完方法。
【請求項８】
前記所定の閾値は１セグメントである、請求項７記載の受信データ補完方法。
【請求項９】
前記所定の閾値は３セグメントである、請求項７記載の受信データ補完方法。
【請求項１０】
前記第４処理は、前記使用セグメント数が所定の閾値よりも大きい場合には、前記コンテンツデータに含まれるストリームデータを放送路から取得する順番と逆の順番で前記通信路から前記欠損データに係るストリームデータを取得して補完する処理である、請求項７記載の受信データ補完方法。
【請求項１１】
所定のセグメント数を使用して送信されるデジタル放送用のコンテンツデータを、第１インターフェース経路及び第２インターフェース経路を経由して受信するための制御を行う半導体装置であって、
前記第１インターフェース経路から受信した前記コンテンツデータにおけるデータの欠損を判別し、データが欠損している場合には当該欠損したデータを補完するための第１動作モードと第２動作モードを実行する第１処理部と、
前記第１インターフェース経路から受信した前記コンテンツデータに係る使用セグメント数を判別し、判別結果に基づいて、前記第１処理部に対し前記第１動作モード又は前記第２動作モードの何れかを指示する第２処理部と、を有する半導体装置であって、
前記第１動作モードは、前記第２インターフェース経路を経由して前記欠損したデータを受信して補完する処理であり、
前記第２動作モードは、前記第２インターフェース経路を経由して前記欠損したデータを受信するとともに、前記第１インターフェース経路を経由して前記コンテンツデータを再受信して補完する処理である、半導体装置。
【請求項１２】
前記コンテンツデータをアンテナを介して受信するための処理を行い、前記第１インターフェース経路に接続される放送路受信部を更に有する、請求項１１記載の半導体装置。
【請求項１３】
前記コンテンツデータをアンテナを介して受信するための処理を行い、前記第２インターフェース経路に接続される通信路受信部を更に有する、請求項１１記載の半導体装置。
【発明の詳細な説明】
【技術分野】
【０００１】
本発明は、デジタル放送を受信する携帯端末、半導体装置、及び受信データを補完する方法に関し、特にマルチメディア放送を受信する携帯端末に適用して有効な技術に関する。
【背景技術】
【０００２】
携帯端末向けの新たなデータ配信サービスとして、携帯端末向けマルチメディア放送サービスが注目されている。このマルチメディア放送は、２０１１年のアナログテレビジョン放送の停波後の空き周波数帯域を利用して実現される放送サービスであり、現在、いくつかのサービスが検討されている。例えば、非特許文献１に記載されているように、リアルタイム視聴、ファイル型コンテンツのダウンロード視聴、ダイナミックなコンテンツ配信編成、統合的なコンテンツナビゲーション、及びワンセグ互換等である。
【０００３】
マルチメディア放送では、コンテンツデータを配信する際に使用するセグメント毎に、リアルタイムで変調方式を変更する効率的な伝送方法が検討されている。このような伝送方法では、配信されるコンテンツによって使用されるセグメント数が異なることがあり、コンテンツを受信する携帯端末における処理の負荷もセグメント数に応じて変わることになる。また、マルチメディア放送では、映像や音声データの他に、携帯端末上で動作するプログラム等の大容量のデータもコンテンツとして配信されることが予定されている。
【０００４】
放送波により配信される大容量のコンテンツデータを携帯端末がダウンロードする場合、放送波の受信不良等により受信したコンテンツデータにデータの欠損が生じる可能性がある。そのため、受信したコンテンツデータに欠損がある場合には、携帯端末が携帯電話の移動通信網等の通信路を利用して放送局等のデータ配信サーバにアクセスし、必要な欠損データを取得して補完するという補完機能が検討されている。この放送波から受信したコンテンツデータの欠損部分を通信路を経由して補完する技術について特許文献１に開示がある。
【０００５】
特許文献１に記載のデータ受信端末は、放送波により受信したデータに欠損部分がある場合には、当該データ受信端末とデータ配信サーバとの間の通信状況等に応じて、前記欠損部分を前記データ配信サーバから受信して修復するか否かを判断することで、無駄な通信コストを抑えるものである。
【先行技術文献】
【特許文献】
【０００６】
【特許文献１】特開２０１０−８１３９７号公報
【非特許文献】
【０００７】
【非特許文献１】岡村  智之、“５．アナログ放送終了後の電波利用  ５−１．マルチメディア放送「ＩＳＤＢ−Ｔｍｍ」”、「映像メディア学会誌」、２００８年、第６２巻、第５号、ｐ．６９２−ｐ．６９５
【発明の概要】
【発明が解決しようとする課題】
【０００８】
しかしながら、画一的に通信路を経由して欠損データを受信して補完する方法では、補完処理の効率が悪くなる可能性がある。例えば、欠損データが大容量の場合、データ配信サーバと携帯端末間でのユニキャスト型の通信ではネットワークにかかる負荷が大きくなることで、補完処理が完了するまでの時間が増大する可能性がある。
【０００９】
本発明の目的は、デジタル放送を受信する携帯端末において、放送波によって受信したコンテンツデータの欠損データの補完処理を効率よく行うことにある。
【００１０】
本発明の前記並びにその他の目的と新規な特徴は本明細書の記述及び添付図面から明らかになるであろう。
【課題を解決するための手段】
【００１１】
本願において開示される発明のうち代表的なものの概要を簡単に説明すれば下記の通りである。
【００１２】
すなわち、所定のセグメント数を使用して送信されるデジタル放送用のコンテンツデータを受信するための放送路受信部と前記放送路受信部と異なる処理で前記コンテンツデータを受信するための通信路受信部を有する携帯端末は、前記放送路受信部から受信したコンテンツデータの欠損を判別し、データが欠損している場合には欠損データを補完する。このとき前記携帯端末は、受信したコンテンツデータに係る使用セグメント数を判別し、判別結果に基づいて、前記通信路受信部から前記欠損データを受信する第１動作モード、又は前記通信路受信部から前記欠損データを受信するとともに前記放送路受信部から前記コンテンツデータを再受信する第２動作モードの何れかにより処理を実行する。
【発明の効果】
【００１３】
本願において開示される発明のうち代表的なものによって得られる効果を簡単に説明すれば下記のとおりである。
【００１４】
すなわち、デジタル放送を受信する携帯端末は、放送波によって受信したコンテンツデータの欠損データの補完処理を効率よく行うことができる。
【図面の簡単な説明】
【００１５】
【図１】図１は、実施の形態１に係る携帯電話端末の一例を示すブロック図である。
【図２】図２は、マルチメディア放送の番組編成の一例を示す説明図である。
【図３】図３は、コンテンツデータの受信処理の流れを示すフロー図である。
【図４】図４は、補完処理における動作モードの切り替わりに関する説明図である。
【図５】図５は、第１動作モードの補完処理による欠損データの補完の一例を表わす説明図である。
【図６】図６は、第２動作モードの補完処理による欠損データの補完の一例を表わす説明図である。
【発明を実施するための形態】
【００１６】
１．実施の形態の概要
先ず、本願において開示される発明の代表的な実施の形態について概要を説明する。代表的な実施の形態についての概要説明で括弧を付して参照する図面中の参照符号はそれが付された構成要素の概念に含まれるものを例示するに過ぎない。
【００１７】
〔１〕（使用セグメント数に応じて補完動作を切り換える携帯端末）
本発明の代表的な実施の形態に係る携帯端末（１０）は、所定のセグメント数を使用して送信されるデジタル放送用のコンテンツデータを受信するための処理を行う放送路受信部（１０４）と、前記コンテンツデータを前記放送路受信部と異なる処理で受信するための処理を行う通信路受信部（１０６）と、操作部（１０２）とを有する。また、前記携帯端末は、前記操作部からの入力に応答して前記コンテンツデータの送信元から前記コンテンツデータを受信するとともに前記放送路受信部により受信した前記コンテンツデータにおけるデータの欠損を判別し、データが欠損している場合には当該欠損データを補完するための第１動作モード、又は第２動作モードによる処理を行う第１処理部（１０１１）を有する。更に前記携帯端末は、前記放送路受信部から受信した前記コンテンツデータに係る使用セグメント数を判別し、判別結果に基づいて、前記第１処理部に対し前記第１動作モード又は前記第２動作モードの何れかを指示する第２処理部（１０１２）を有する。前記第１動作モードは、前記通信路受信部から前記欠損データを受信して補完する処理であり、前記第２動作モードは、前記通信路受信部から前記欠損データを受信するとともに前記放送路受信部から前記コンテンツデータを再受信して補完する処理である。
【００１８】
これによれば、項１の携帯端末は前記欠損データを補完する際、前記通信路受信部から欠損データを受信するだけなく、前記放送路受信部から前記コンテンツデータの再受信を行うことができるから、画一的に前記通信路受信部から前記欠損データを受信して補完する方法に比べて、より効率良く補完することが可能となる。また、一般に使用セグメント数の増加に応じてコンテンツデータのデータ量も増加することから、前記携帯端末は、受信したコンテンツデータのデータ量に応じた欠損データの補完が可能となる。これにより、例えば、受信したコンテンツデータの使用セグメント数が多くデータ量が多い場合には、前記通信路受信部と前記放送路受信部の双方からデータを受信し、使用セグメント数が少なくデータ量が少ない場合には、前記通信路受信部のみからデータを受信して補完するといった動作が可能となる。このように前記欠損データの補完動作を、常に前記通信路受信部と前記放送路受信部の双方から受信する方法で行うのではなく、必要に応じて受信する方法を切り替えることで、無駄のない動作が可能となり前記携帯端末の低消費電力化に資する。
【００１９】
〔２〕（使用セグメント数が閾値（１）を超えているか否かにより判断）
項１の携帯端末において、前記第２処理部は、前記使用セグメント数が１セグメントより大きい場合には、前記第２動作モードを指示する。
【００２０】
〔３〕（使用セグメント数が閾値（３）を超えているか否かにより判断）
項１の携帯端末において、前記第２処理部は、前記使用セグメント数が３セグメントより大きい場合には、前記第２動作モードを指示する。
【００２１】
〔４〕（受信するデータの順番を放送路と通信路で逆にする）
項１乃至３の何れかの携帯端末において、前記第１処理部は、前記第２動作モードを実行する際、前記放送路受信部から前記コンテンツデータを構成するストリームデータを受信する順番と逆の順番で前記通信路受信部から前記欠損データに係るストリームデータを受信する。
【００２２】
前記放送路受信部によってコンテンツデータを受信する場合、例えば、前記携帯端末が放送波から送られてくる順番にデータを受信することで、その順番に前記欠損データが補完されることになる。そこで、例えば、前記放送路受信部が補完する順番と逆の順番に前記欠損データを送信するように前記携帯端末がデータサーバに対して要求し、要求に係るデータを前記通信路受信部が受信することにより、より短時間に前記コンテンツデータの欠損部分の補完を行うことが可能となる。
【００２３】
〔５〕（蓄積型ストリームデータから使用セグメント数を判断）
項１乃至４の何れかの携帯端末において、前記受信したコンテンツデータは、蓄積して視聴可能な蓄積型のストリームデータを含み、前記第２処理部は、前記蓄積型のストリームデータに含まれる複数のパケットデータのうち、当該蓄積型のストリームデータの構成を示す情報を含む所定のパケットデータを抽出し、当該抽出したパケットデータを参照することにより前記使用セグメント数を判別する。
【００２４】
これによれば、受信したコンテンツデータの使用セグメント数を容易に判別することができる。
【００２５】
〔６〕（リアルタイム視聴用ストリームデータから使用セグメント数を判断）
項１乃至４の何れかの携帯端末において、前記受信したコンテンツデータは更に、リアルタイム視聴用のストリームデータを含み、前記第２処理部は、前記リアルタイム視聴用のストリームデータに含まれる複数のパケットデータのうち、当該リアルタイム視聴用のストリームデータの構成を示す情報を含む所定のパケットデータを抽出し、当該抽出したパケットデータを参照することにより前記使用セグメント数を判別する。
【００２６】
これによれば、リアルタイム視聴用のストリームデータを受信している場合には、前記蓄積型のストリームデータのみならず、リアルタイム視聴用のストリームデータのパケットデータからも使用セグメント数を判別することができる。
【００２７】
〔７〕（方法クレーム）
本発明の代表的な実施の形態に係る受信データ補完方法は、所定のセグメント数を使用して送信されるデジタル放送用のコンテンツデータを受信する携帯端末において、放送データの中から選択して受信したコンテンツデータにおける欠損したデータを補完する受信データ補完方法である。前記受信データ補完方法は、前記放送データの中から選択して受信したコンテンツデータにおけるデータの欠損の有無を判別する第１処理（Ｓ３０３）と、前記第１処理においてデータが欠損していると判断した場合には、当該欠損したデータを補完する第２処理（Ｓ３０４〜３０７）とを含む。前記第２処理は、前記放送データの中から選択して受信したコンテンツデータに係る使用セグメント数を判別する第３処理（Ｓ３０４）と、前記使用セグメント数が所定の閾値以下の場合には、データサーバに対するアクセス要求に応じた前記欠損したデータを受信して補完し、前記使用セグメント数が所定の閾値よりも大きい場合には、データサーバに対するアクセス要求に応じた前記欠損したデータを受信するとともに、前記放送データの中から再度選択して前記コンテンツデータを受信する第４処理（Ｓ３０５〜Ｓ３０７）とを含む。
【００２８】
これによれば、項１と同様に、画一的にデータサーバから前記欠損データを要求して補完する方法に比べて、より効率の良い補完動作が可能となる。
【００２９】
〔８〕（使用セグメント数が閾値（１）を超えているか否かにより判断）
項７の受信データ補完方法は、前記所定の閾値は１セグメントである。
【００３０】
〔９〕（使用セグメント数が閾値（３）を超えているか否かにより判断）
項７の受信データ補完方法は、前記所定の閾値は３セグメントである。
【００３１】
〔１０〕（放送路補完の方向と通信路補完の方向を逆にする）
項７乃至９の何れかの受信データ補完方法は、前記第４処理は、前記使用セグメント数が所定の閾値よりも大きい場合には、前記コンテンツデータに含まれるストリームデータを放送路から取得する順番と逆の順番で前記通信路から前記欠損データに係るストリームデータを取得して補完する処理である。
【００３２】
これによれば、項４と同様に、より短時間に前記欠損データの補完を行うことが可能となる。
【００３３】
〔１１〕（半導体装置）
本発明の代表的な実施の形態に係る半導体装置（１０）は、所定のセグメント数を使用して送信されるデジタル放送用のコンテンツデータを、第１インターフェース経路及び第２インターフェース経路を経由して受信するための制御を行う半導体装置である。前記半導体装置は、前記第１インターフェース経路から受信した前記コンテンツデータにおけるデータの欠損を判別し、データが欠損している場合には当該欠損したデータを補完するための第１動作モードと第２動作モードを実行する第１処理部と、前記第１インターフェース経路から受信した前記コンテンツデータに係る使用セグメント数を判別し、判別結果に基づいて、前記第１処理部に対し前記第１動作モード又は前記第２動作モードの何れかを指示する第２処理部と、を有する。前記第１動作モードは、前記第２インターフェース経路を経由して前記欠損したデータを受信して補完する処理であり、前記第２動作モードは、前記第２インターフェース経路を経由して前記欠損したデータを受信するとともに、前記第１インターフェース経路を経由して前記コンテンツデータを再受信して補完する処理である。
【００３４】
これによれば、前記半導体装置は項１と同様に、前記第２インターフェース経路を介して画一的にデータサーバから前記欠損データを要求して補完する方法に比べて、より効率の良い補完動作が可能となる。
【００３５】
〔１２〕（放送路受信部を有する半導体装置）
項１１の半導体装置は、前記コンテンツデータをアンテナを介して受信するための処理を行い、前記第１インターフェース経路に接続される放送路受信部を更に有する。
【００３６】
〔１３〕（通信路受信部を有する半導体装置）
項１１又は１２の半導体装置は、前記コンテンツデータをアンテナを介して受信するための処理を行い、前記第２インターフェース経路に接続される通信路受信部を更に有する。
【００３７】
２．実施の形態の詳細
実施の形態について更に詳述する。
【００３８】
≪実施の形態１≫
図１は、実施の形態１に係る、マルチメディア放送のコンテンツデータを受信して再生する機能を備えた携帯電話端末の一例を示すブロック図である。
【００３９】
同図に示される携帯端末１０は、制御部１０１、放送受信処理制御部１０４、通信処理制御部１０６、通信用アンテナ１０５、放送用アンテナ１０３、操作部１０２、記憶部１０７、映像復号部１０８、表示部１０９、音声復号部１１０、及び音声出力部１１１を有する。
【００４０】
前記制御部１０１は、記憶部１０７に格納されたプログラムに従って、前記携帯端末１０の統括的な制御を行なうプログラム処理装置であり、例えば、ＣＰＵ又はＣＰＵコアである。前記制御部１０１は、特に制限されないが、公知のＣＭＯＳ集積回路の製造技術によって１個の単結晶シリコンのような半導体基板に形成されている。
【００４１】
前記制御部１０１は、携帯電話の通信網等の通信路を利用してデータの送信を行う。このとき、前記制御部１０１は、送信するためのパケットデータを生成し、生成したパケットデータを前記通信処理制御部１０６に与える。そして、送信データを受け取った前記通信処理制御部１０６が、前記通信用アンテナ１０５を介してデータを送信する処理を行う。前記通信処理制御部１０６は、例えば、通信用のアナログフロントエンドＩＣである。また、前記通信処理制御部１０６が前記通信用アンテナ１０５を介して信号を受信した場合には、前記通信処理制御部１０６が信号を復調し、復調したパケットデータ等を前記制御部１０１に与える。
【００４２】
前記制御部１０１は更に、マルチメディア放送を受信し、受信したコンテンツデータを再生等するための処理を行う。
【００４３】
図２は、マルチメディア放送の番組編成の一例を示す説明図である。
【００４４】
図２に示されるように、マルチメディア放送では、番組毎に周波数帯域（セグメント数）が配分される。図２において、横軸は時間経過を表わし、縦軸は番組毎のセグメントの区分けを表わしている。図２に示す番組編成では、セグメント数が“＃０”から“＃２０”の２１個であり、＃１３のセグメントが番組情報等を示すパイロットセグメントとして定義されている場合を一例として示している。また、“＃０”から“＃１２”までの１３セグメントが一つの番組用に割り当てられ、“＃１４”〜“＃２０”は個別の１セグメントの集合体として運用されている場合を一例として示している。例えば、番組Ａ−１は１３セグメントを占有して放送され、番組Ｂ−１は１セグメントを占有して放送される。なお、図２には示されないが、番組毎の使用セグメント数はダイナミックに変動編成されうる。
【００４５】
マルチメディア放送のコンテンツデータは、アプリケーション等のソフトウェア、音楽ファイル、及び映像ファイル等のようにダウンロードして利用する蓄積型コンテンツデータと、リアルタイム視聴用のストリーム型コンテンツデータに大きく２つに分けられる。実施の形態１では、前記携帯端末１０が前記蓄積型コンテンツデータを受信して再生する場合を一例として説明する。
【００４６】
前記携帯端末１０によるマルチメディア放送の受信と再生の処理手順は以下である。
【００４７】
先ず、前記制御部１０１は、例えば、ユーザからの入力を受け付けるキーボード等の前記操作部１０２を介して選局された放送局に係るコンテンツデータを受信するように前記放送受信処理制御部１０４に指示する。前記放送受信処理制御部１０４は、当該指示に応じて、放送用アンテナ１０３を介して、選局された放送局のコンテンツデータを受信するための処理を行う。前記放送受信処理制御部１０４は、例えば、受信した放送信号を復調し、所望のデータを取得するチューナー等の機能を備えたアナログフロントエンドＩＣである。前記放送受信処理制御部１０４はコンテンツデータを受信すると、当該データを前記制御部１０１に与える。前記コンテンツデータは、例えば、ＴＳ（Ｔｒａｎｓｐｏｒｔ  Ｓｔｒｅａｍ）のパケットデータであり、映像（Ｖ）、音声（Ａ）や、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、及び番組の構成情報等を含むＮＩＴ（Ｎｅｔｗｏｒｋ  Ｉｎｆｏｒｍａｔｉｏｎ  Ｔａｂｌｅ）等のパケットデータが多重化されたデータである。
【００４８】
前記コンテンツデータを受け取った前記制御部１０１は、前記記憶部１０７にそのデータを格納する。前記記憶部１０７は、前記制御部１０１によってデータの読み出し及び書き込みが実行される記憶領域を有する記憶装置であり、当該記憶領域には前記携帯端末１０を制御するためのプログラム等のソフトウェアや受信したコンテンツデータ等が格納される。前記記憶部１０７は、例えば、揮発性メモリやフラッシュメモリ等の不揮発性メモリを備える。
【００４９】
前記制御部１０１は、前述の前記記憶部１０７へのデータの格納とともに、受信したコンテンツデータから映像（Ｖ）パケットデータと音声（Ａ）パケットデータを分離する逆多重化処理を実行し、分離した前記映像パケットデータを前記映像復号部１０８に与え、分離した前記音声パケットデータを前記音声復号部１１０に与える。
【００５０】
前記映像復号部１０８及び前記音声復号部１１０は、入力された、圧縮されたパケット形式のデータを復号するための処理を実行する。例えば、前記映像復号部１０８は、前記映像パケットデータを入力して復号し、前記表示部１０９に与える。また、前記音声復号部１１０は、前記音声パケットデータを入力して復号し、前記音声出力部１１１に与える。前記表示部１０９は、例えば、液晶ディスプレイ等の映像を表示する装置であり、前記制御部１０１の制御により、前記映像復号部１０８から与えられた映像データを表示する。また、前記音声出力部１１１は、例えば、スピーカ等の電気信号を音声に変換して出力する装置であり、前記制御部１０１の制御により、前記音声復号部１１０から与えられた音声データを再生する。
【００５１】
以上のように、放送波からコンテンツデータが受信され、再生処理が行われるが、前述のように、放送波の受信不良等により受信したコンテンツデータに欠損が生じる場合がある。そこで、前記制御部１０１は、上記の処理に加え、放送波から受信したコンテンツデータに欠損が有るか否かを判別し、データの欠損が確認された場合には、当該欠損データを受信して補完するための処理（以下、「補完処理」と称する。）を行う。以下、補完処理について詳細に説明する。
【００５２】
補完処理は、図１に示されるデータ処理制御部１０１１と補完処理制御部１０１２によって実行される。前記データ処理制御部１０１１及び前記補完処理制御部１０１２は、前記制御部１０１において実行される所定のプログラムによって実現される、機能実現手段の一部である。
【００５３】
前記データ処理制御部１０１１は、前述した、通信や放送受信に係る処理における前記放送受信処理制御部１０４及び前記通信処理制御部１０６の制御や、受信したコンテンツデータの逆多重化処理等、前記携帯端末１０における統括的な制御を行なうとともに、必要に応じて前記補完処理を実行する。前記データ処理制御部１０１１は、前記補完処理について２つの動作モードを有する。具体的には、前記データ処理制御部１０１１は、前記通信処理制御部１０６から欠損データを受信して補完する第１動作モードと、前記通信処理制御部１０６から欠損データを受信するとともに前記放送受信処理制御部１０４からコンテンツデータを再受信して補完する前記第２動作モードの何れかの動作モードにより、前記補完処理を実行する。前記データ処理制御部１０１１がどちらの動作モードで補完処理を実行するかは、前記補完処理制御部１０１２により決定される。
【００５４】
前記補完処理制御部１０１２は、受信したコンテンツデータの送信元である放送局が当該コンテンツデータを送信するのに使用したセグメント数を判別し、判別結果に基づいて前記データ処理制御部１０１１の前記動作モードを決定する。
【００５５】
前記補完処理制御部１０１２は、分離部１０１４、使用セグメント数判別部１０１３、比較部１０１５、及び動作モード設定部１０１６を有する。これらの機能部も前記制御部１０１において実行されるプログラムによって実現される機能実現手段の一部であり、前記補完処理制御部１０１２の有する機能を細分化して表わしたものである。
【００５６】
前記分離部１０１４は、前記放送受信処理制御部１０４によって受信されたコンテンツデータを入力し、入力されたコンテンツデータに含まれる当該コンテンツデータの識別情報を示すデータを分離して取得する。例えば、前述のように前記コンテンツデータがＴＳパケットのデータである場合、前記分離部１０１４は、受信した番組のＴＳパケットに含まれるＰＡＴ、ＰＭＴ、及びＮＩＴのパケットデータを、ＴＳパケットの中から分離して取得する。
【００５７】
前記使用セグメント数判別部１０１３は、前記分離部１０１４によって分離され取得された前記識別情報を示すデータを解析し、受信したコンテンツデータの使用セグメント数を判別する。例えば、図２に示すように、番組Ａ−１のコンテンツデータを受信した場合には、前記使用セグメント数判別部１０１３は、当該コンテンツデータ中のＰＡＴ、ＰＭＴ、又はＮＩＴ等のパケットデータを解析し、番組Ａ−１のコンテンツデータが１３セグメントを使用して送信されたデータであることを判別する。
【００５８】
前記比較部１０１５は、前記使用セグメント数判別部１０１３により判別された使用セグメント数と予め設定された所定の閾値との比較を行い、比較結果を出力する。前記所定の閾値は、前記第１動作モードと前記第２動作モードの切り替わりを行うための値である。特に制限されないが、前記所定の閾値は、“１”又は“３”とする。例えば、前記所定の閾値を“１”とした場合には、前記比較部１０１５は、前記受信したコンテンツデータの使用セグメント数が１より大きいか否かを判別し、その判別結果を前記動作モード設定部１０１６に与える。
【００５９】
前記動作モード設定部１０１６は、前記比較部１０１５による比較結果に基づいて、動作モードを決定し、前記データ処理制御部１０１１に設定する。具体的には、前記動作モード設定部１０１６は、前記比較部１０１５から使用セグメント数が前記閾値を超えていることを表わす比較結果を受け取った場合には、前記第２動作モードで前記補完処理を実行するように、前記データ処理制御部１０１１に指示する。一方、前記動作モード設定部１０１６が、使用セグメント数が前記閾値以下であることを表わす比較結果を受け取った場合には、前記第１動作モードで前記補完処理を実行するように、前記データ処理制御部１０１１に指示する。例えば、前記所定の閾値を“１”とし、番組Ａ−１（１３セグメント）のコンテンツデータを受信した場合には、前記比較部１０１５は、使用セグメント数（１３セグメント）が前記所定の閾値（１セグメント）より大きいことを表わす判定結果を前記動作モード設定部１０１６に与える。そして、当該指示を受け取った前記動作モード設定部１０１６は、当該判定結果に基づき、前記第２動作モードで前記補完処理を実行するように前記データ処理制御部１０１１に対して指示を与える。
【００６０】
前記補完処理の流れについて図３を用いて詳細に説明する。
【００６１】
図３は、コンテンツデータの受信処理の流れを示すフロー図である。
【００６２】
先ず、ユーザからの前記操作部への入力等によりマルチメディア放送を受信する動作が開始される（Ｓ３００）。その開始の後、更にユーザからの前記操作部への入力等により受信する放送局が指定される（Ｓ３０１）。前記データ処理制御部１０１１は当該指定された放送局のコンテンツデータの受信を開始するように前記放送受信処理制御部１０４に対して指示を行い、前記放送受信処理制御部１０４が指定された放送局の放送波を受信してコンテンツデータを取得する（Ｓ３０２）。前記データ処理制御部１０１１は、取得したコンテンツデータ内に欠損部分が有るか否かを判別する（Ｓ３０３）。ステップ３０３において、前記データ処理制御部１０１１がコンテンツのダウンロードが完了していないこと、又は、ダウンロードは完了しているがデータの欠損がないことを確認した場合には、ステップ３０２に再度移行し、必要なコンテンツデータの受信を継続する。一方、ステップ３０３にて、コンテンツデータのダウンロードが完了し、且つ、データの欠損が有ると判断した場合には、前記分離部１０１４が前述の方法により分離したパケットデータに基づいて、前記使用セグメント数判別部１０１３が使用セグメント数を判別する（Ｓ３０４）。そして、前記比較部１０１５が、前記判別された使用セグメント数が前記所定の閾値より大きいか否かを判別する（Ｓ３０５）。ステップ３０５において、使用セグメント数が前記所定の閾値以下である場合には、前記動作モード設定部１０１６は、前記データ処理制御部１０１１に対して前記第１動作モードで前記補完処理を実行するように指示し、前記データ処理制御部１０１６は、前記第１動作モードで前記補完処理を実行する（Ｓ３０６）。具体的には、前記データ処理制御部１０１６が前記通信処理制御部１０６を制御することにより、前記コンテンツデータの送信元のデータサーバにアクセスして欠損部分のデータを要求し、要求に応じたデータを受信することでデータの補完を行う。
【００６３】
一方、ステップ３０５において、使用セグメント数が前記所定の閾値より大きい場合には、前記動作モード設定部１０１６は、前記データ処理制御部１０１１に対して前記第２動作モードで前記補完処理を実行するように指示し、前記データ処理制御部１０１６は、前記第２動作モードにより前記補完処理を実行する（Ｓ３０７）。具体的には、前記データ処理制御部１０１６が前記通信処理制御部１０６を制御することにより、前記コンテンツデータの送信元のデータサーバにアクセスして前記欠損部分のデータを要求し、要求に応じたデータを受信すると共に、前記放送受信処理制御部１０４を制御し、再度前記コンテンツデータの受信を行うことでデータの補完を行う。
【００６４】
ステップ３０６及び３０７の後、ステップ３０３に移行し、再度受信したコンテンツデータにおける欠損部分の有無の判断を行い、上記処理が繰り返し実行される（Ｓ３０３〜Ｓ３０７）。
【００６５】
図４は、前記補完処理における動作モードの切り替わりに関する説明図である。
【００６６】
図４では、前記所定の閾値を１セグメントに設定した場合において、受信する番組を切り替える例を示している。
【００６７】
初めに１３セグメントを使用する番組Ａ−１がユーザ等により指定された場合、前記携帯端末１０は、放送局を選局し、番組Ａ−１を受信する処理を開始する（Ｓ４０１）。そして前記携帯端末１０は、当該番組の受信を行う（Ｓ４０２）。このとき前記携帯端末１０は、前述のように放送波から番組のコンテンツデータを受信する。そして、受信したコンテンツデータの補完処理を行う場合には、当該番組の使用セグメント数が１セグメントよりも大きいので、前述と同様の方法により、通信路からの欠損データのダウンロードに加え、放送波からコンテンツデータの再受信を行う（Ｓ４０３）。これにより、前記コンテンツデータの全てのデータの受信が完了する（Ｓ４０４）。
【００６８】
続けて１セグメントを使用する番組Ｂ−２がユーザ等により指定された場合、前記携帯端末１０は、該当する放送局を選局し、番組Ｂ−２を受信する処理を開始する（Ｓ４０５）。そして前記携帯端末１０は、当該番組の受信を行う（Ｓ４０６）。このとき前記携帯端末１０は、前述のように放送波から番組のコンテンツデータを受信する。そして、受信したコンテンツデータの補完処理を行う場合には、当該番組の使用セグメント数が１セグメントであるので、前述と同様の方法により、通信路からの欠損データのダウンロードを行う（Ｓ４０７）。これにより、前記コンテンツデータの全てのデータの受信が完了する（Ｓ４０８）。
【００６９】
図５は、第１動作モードの補完処理による欠損データの補完の一例を表わす説明図である。
【００７０】
図５の（ａ）に示されるように、放送波から受信したコンテンツデータ２２０において欠損データ２２１〜２２４が存在している。この場合において、通信路から欠損データを受信する補完処理が開始されると、図５の（ｂ）に示されるように、欠損データ２２３及び２２４に対応するデータ２２６及び２２５が補完される。データが補完される順番は特に制限されないが、同図では、初めに参照符号２２４に示される欠損データＥ４が補完され、次に参照符号２２３に示される欠損データＥ３が補完される場合を一例として示している。そして、引き続き補完処理が実行されると、図５の（ｃ）に示されるように、欠損データ２２１〜２２４の全ての補完が完了する。
【００７１】
一方、図６は、第２動作モードの補完処理による欠損データの補完の一例を表わす説明図である。
【００７２】
図６の（ａ）に示されるように、放送波から受信したコンテンツデータ２２０において欠損データ２２１〜２２４が存在している。この場合において、通信路から欠損データの受信と放送波からの再受信が開始されると、図６の（ｂ）に示されるように、放送波の再受信により欠損データ２２１及び２２２に対応するデータ２２９及び２３０が補完され、通信路から欠損データ２２４に対応するデータ２３３が補完される。そして、引き続き補完処理が実行されると、図６の（ｃ）に示されるように欠損データ２２１〜２２４の全ての補完が完了する。
【００７３】
以上実施の形態１に係る携帯端末１０では、補完処理に際し、通信路から欠損データをダウンロードして補完するだけでなく、放送路からのコンテンツデータの再受信も行うことで、画一的に通信路から欠損データを受信して補完する方法に比べて、より短時間で効率良くデータを補完することが可能となる。すなわち、２つの経路から欠損データの補完を行うことで、放送波による再受信又は放送路からの欠損データのダウンロードのどちらか早い方の処理により補完が完了する。また、図６の（ｂ）及び（ｃ）に示されるように、放送波によりコンテンツデータを再受信してデータを取得する順番と逆の順番で、放送路から欠損のデータをダウンロードすることで、より短時間にデータの補完を行うことが可能となる。以上のように補完動作を効率よく行うことで、前記携帯端末１０全体としての低消費電力化に資する。
【００７４】
以上本発明者によってなされた発明を実施形態に基づいて具体的に説明したが、本発明はそれに限定されるものではなく、その要旨を逸脱しない範囲において種々変更可能であることは言うまでもない。
【００７５】
例えば、前記携帯端末１０において、前記制御部１０１が１チップの半導体集積回路である場合を一例としたが、これに限られず、前記制御部１０１と、前記放送受信処理制御部１０４と、前記通信処理制御部１０６とを一つの半導体基板に形成した１チップの半導体集積回路であってもよい。
【００７６】
また、マルチメディア放送では、放送局がリアルタイム視聴用の番組のストリーム型コンテンツデータと当該番組に関連する蓄積型コンテンツデータの双方を同時に放送波により送信する場合もある。その場合には、前記分離部１０１４がリアルタイム視聴用のストリーム型コンテンツデータから当該ストリーム型コンテンツデータの識別情報を示すパケットデータを分離し、前記使用セグメント数判別部１０１３が、前述と同様の方法により、分離されたパケットデータから使用セグメント数を判別してもよい。これによれば、リアルタイム視聴を行っているときに蓄積型のコンテンツデータを受信する場合には、当該蓄積型コンテンツデータの使用セグメント数を判別する代わりにリアルタイム視聴に係るストリーム型コンテンツデータの使用セグメント数を判別することで、実施の形態１と同様に効率のよい補完処理を実現することが可能となる。
【符号の説明】
【００７７】
１０  携帯端末
１０１  制御部
１０２  操作部
１０３  放送用アンテナ
１０４  放送受信処理制御部
１０５  通信用アンテナ
１０６  通信処理制御部
１０７  記憶部
１０８  映像復号部
１０９  表示部
１１０  音声復号部
１１１  音声出力部
１０１１  データ処理制御部
１０１２  補完処理制御部
１０１３  使用セグメント数判別部
１０１４  分離部
１０１５  比較部
１０１６  動作モード設定部
２２１〜２２４  欠損データ
２２５〜２２８  補完データ（通信路）
２２９〜２３３  補完データ（放送波）
【図１】
2011259067.tif 000003
【図２】
2011259067.tif 000004
【図３】
2011259067.tif 000005
【図４】
2011259067.tif 000006
【図５】
2011259067.tif 000007
【図６】
2011259067.tif 000008